(57)【要約】【課題】容器を誤って倒したり或いは寝かせて保管する際に収納液が注出口部分に移行する虞がなく、また、液注出の際に安定して少量の液の注出を行える優れた注出栓付き容器を提案する。【解決手段】圧搾可能な胴部４を有するとともに、口頸部５上に筒状ノズル６を延設した容器体２と、ノズル６の内周部に外周部を密接した棒状栓体９をノズル６の注出口８側へ付勢させて装着した栓部材３とを備え、棒状栓体９外周部とノズル内周部との密接部分に棒状栓体９の上下を連通する液流路ａを設けた。【選択図】図１
2004331103.tif 000002
【特許請求の範囲】
【請求項１】
圧搾可能な胴部４を有するとともに、口頸部５上に筒状ノズル６を延設した容器体２と、板バネ１０を介して上記ノズル６の注出口８側へ棒状栓体９を付勢させることによりその外周部を上記ノズル６の内周部に密接した栓部材３とを備え、上記棒状栓体９外周部と上記ノズル６内周部との密接部分に上記棒状栓体９の上下を連通する液流路ａを設けたことを特徴とする注出栓付き容器。
【請求項２】
上記容器体２が、下端を扁平にシールした圧搾可能な筒状胴部４上端より肩部７を介して上記口頸部５を起立するとともに、上記口頸部５上端より上記筒状ノズル６を一体に立設してなる容器体であり、上記栓部材３が、上記口頸部５内周に嵌着させた嵌合筒１１と、該嵌合筒１１より一体に立設した上記板バネ１０と、該板バネ１０の上端部に連結した上記棒状栓体９とからなり、全体を合成樹脂により形成してなる栓部材である請求項１記載の注出栓付き容器。
【請求項３】
上記液流路ａが上記棒状栓体９外周部と上記ノズル６内周部との密接部分のいずれか一方又は両方に穿設した縦溝１２である請求項１又は請求項２のいずれかに記載の注出栓付き容器。
【請求項４】
上記液流路ａが、上記棒状栓体９外周部と上記ノズル６内周部とのいずれか一方又は両方に突設した縦突条１３により上記外周部と内周部との間に形成された隙間である請求項１又は請求項２のいずれかに記載の注出栓付き容器。
【発明の詳細な説明】
【０００１】
【発明の属する技術分野】
本発明は注出栓付き容器に関する。
【０００２】
【従来の技術】
注出栓付き容器として、容器体の口頸部内に特殊構成の栓部材を嵌着して内容物を切れ良く滴下できるものが提案されている（例えば、特許文献１参照）。
【０００３】
上記容器は、容器体の口頸部に筒状の栓本体を嵌着し、この栓本体内に球状の弁体を上下動可能に遊嵌している。栓本体内周下部には弁座となる突条を突周設するとともに、栓本体内周上部には上昇を抑制する突条を突周設し、更に上部の突条部分に縦溝を形成している。そして、容器体胴部を圧搾することにより弁体を上部の突条に圧接し、縦溝を介して少量の液を外部に注出する如く構成している。
【０００４】
【特許文献１】
特開２００２−３９４０９号公報（第２−３頁，図１）
【０００５】
【発明が解決しようとする課題】
上記容器は誤って倒したり或いはチューブ容器の様に寝かせて保管する場合に玉状弁体が下方の突条と離れて上部の突条との中間位置に移行し、その際に収納液が弁体周囲から注出口に漏出する可能性がある。特に収納液の粘度が低く容器体内に液が充満した使用開始当初はその傾向が顕著である。また、液注出に当たって玉状弁体が下方の突条から上方の突条に至る間にその周囲を通り液が注出口に至る余地があり、同じ胴部圧搾操作により注出量が安定しなくなる余地がある。
【０００６】
本発明は上記した点に鑑みてなされたもので、容器を誤って倒したり、或いは寝かせて保管する際に液が注出口部分に移行する虞がなく、また、液注出の際には安定して少量の液の注出を行える優れた注出栓付き容器を提案するものである。
【０００７】
【課題を解決するための手段】
本請求項１発明の容器は、上記課題を解決するため、圧搾可能な胴部４を有するとともに、口頸部５上に筒状ノズル６を延設した容器体２と、板バネ１０を介して上記ノズル６の注出口８側へ棒状栓体９を付勢させることによりその外周部を上記ノズル６の内周部に密接した栓部材３とを備え、上記棒状栓体９外周部と上記ノズル６内周部との密接部分に上記棒状栓体９の上下を連通する液流路ａを設けたことを特徴とする注出栓付き容器として構成した。
【０００８】
また、請求項２発明の容器は、上記容器体２が、下端を扁平にシールした圧搾可能な筒状胴部４上端より肩部７を介して上記口頸部５を起立するとともに、上記口頸部５上端より上記筒状ノズル６を一体に立設してなる容器体であり、上記栓部材３が、上記口頸部５内周に嵌着させた嵌合筒１１と、該嵌合筒１１より一体に立設した上記板バネ１０と、該板バネ１０の上端部に連結した上記棒状栓体９とからなり、全体を合成樹脂により形成してなる栓部材である請求項１記載の注出栓付き容器として構成した。
【０００９】
また、請求項３発明の容器は、上記液流路ａが上記棒状栓体９外周部と上記ノズル６内周部との密接部分のいずれか一方又は両方に穿設した縦溝１２である請求項１又は請求項２のいずれかに記載の注出栓付き容器として構成した。
【００１０】
また、請求項４発明の容器は、上記液流路ａが、上記棒状栓体９外周部と上記ノズル６内周部とのいずれか一方又は両方に突設した縦突条１３により上記外周部と内周部との間に形成された隙間である請求項１又は請求項２のいずれかに記載の注出栓付き容器として構成した。
【００１１】
【発明の実施の形態】
以下、本発明の実施例の形態を図面を参照して説明する。
【００１２】
図面に示す如く本発明の注出栓付き容器１は、容器体２と、栓部材３とを備えている。
【００１３】
容器体２は合成樹脂等により形成されたもので、圧搾可能な胴部４を備え、且つ、口頸部５上に筒状のノズル６を立設したものが採用される。具体的に容器体２は、図１に示す如き下端を扁平にシールした圧搾可能な筒状胴部４の上端より肩部７を介して上記口頸部５を起立したチューブ容器形態のもの、或いは図４に示す如き圧搾可能な筒状胴部４上端より肩部７を介して口頸部５を起立したボトル形態のもの等が挙げられる。
【００１４】
上記ノズル６も合成樹脂等により形成され、先端部に注出口８を開口した筒状をなすもので、図示例の如く上方に行くに従って順次縮径する逆ラッパ筒状形態のものが好ましく採用できる。また、ノズル６は図１の実施例の如く口頸部５と一体に形成したものであっても、図４の実施例の如く、口頸部と別体に形成して口頸部上端に液密に且つ抜け出しを防止して嵌着したものであっても良い。
【００１５】
栓部材３は、板バネを介して上記ノズル６の注出口８側へ棒状栓体を付勢させることによりその外周部を上記ノズル６の内周部に密接して装着したものである。棒状栓体９外周部のノズル内周部への密接は全体的であっても一部であっても良い。また、栓部材３は、図示例の如く、口頸部５内周に嵌合させた嵌合筒１１より上方へ一体に延設するとともに、その上端を上記棒状栓体９と一体に連結し、全体を合成樹脂にて一体に形成したものが好ましく採用できる。尚、板バネ１０の基端部は図示例の如き口頸部に嵌着させたものに限らず、例えば、口頸部上方のノズル６内に嵌着しても、また、口頸部下方の容器体内に嵌着する如く構成することも可能である。
【００１６】
また、板バネの形態も種々の形態が採用でき、図１の実施例の如き複数の螺旋状のもの、或いは図４及び図７に示す如き複数の弯曲板状のもの、或いは図１０及び図１１に示す如き一枚の屈折板状のもの、或いは、図１２に示す如きリング部を備えたもの等種々の形態を採用でき、容器体胴部を圧搾した際に加圧液が棒状栓体９を加圧する状態を維持することが出来ればこれらに限られない。
【００１７】
本発明では、上記棒状栓体９外周部と上記ノズル６内周部との密接部分に液流路ａを設けている。この液流路ａは容器体胴部４の圧搾により加圧した液を通過させて注出口８より注出するためのものであり、その結果ノズル６内径に比較して極めて少量の液の注出に適したものとなる。
【００１８】
この液通路１は、図１に示す如く棒状栓体９の外周部或いは図４に示す如くノズル内周部に縦溝１２を設けることにより形成しても良いし、また、両方に縦溝を設けることにより形成しても良い。また、図７に示す如く棒状栓体９の外周部に縦突条１３を設けることにより、或いはノズル６の内周部に縦突条１３を設けることにより上記外周部と上記内周部との間に形成された隙間として構成しても良く、或いは双方に縦突条を設けることにより形成しても良い。更に、上記縦溝と縦突条を適宜組み合わせて形成しても良い。また、上記縦溝１２或いは縦突条１３の数或いはその横断面積の大きさ等は収納液の粘度，密閉部分の長さ，注出液の必要量等を考慮して適宜選択することができる。また、密接部分に於ける棒状栓体９の外周部或いはノズル６の内周部或いは両方に、液の流通が可能な微細凹凸面所謂梨子地を形成することにより液流路とすることも可能である。
【００１９】
図１は本発明の一例を示すもので、容器体２は、下端を扁平にシールした圧搾可能な筒状胴部４を有し、該胴部４上端より肩部７を介して口頸部５を起立している。更に口頸部５上端縁より上方へ行くに従って窄み、先端に注出口８を開口した逆ラッパ筒状のノズル６を一体に立設している。
【００２０】
栓部材３は、上記口頸部５内周に突周設した係止突条１４下面に上面を当接係止させて口頸部５内周に嵌合させた嵌合筒１１と、該嵌合筒１１の上端より上方へ螺旋状に立設した複数の板バネ１０を介して延設した下端開口の中空円錐台形状をなす棒状栓体９とから構成している。また、棒状栓体９の外面所定位置には一対の縦溝１２を凹設して液流路ａを形成している。
【００２１】
上記の如く構成した容器１は、容器体胴部４を圧搾することにより収納液を加圧して液流路ａを介して注出口８より注出する。胴部４の圧搾を解除するとその弾性復元力により容器体２内が負圧化し、棒状栓体９が各板バネ１０の弾発力に抗して容器体内方へ引き込まれ、その外周に形成された隙間より置換空気が導入される。
【００２２】
図４は本発明の他の一例を示すもので、容器体２は、圧搾可能な筒状胴部４上端より肩部７を介して口頸部５を起立している。口頸部５の上端には別体として形成したノズル６を嵌着させている。該ノズル６は、口頸部５上端部より上方へ行くに従って窄み、先端に注出口８を開口した逆ラッパ筒状をなし、下端部よりフランジ１５を介して延設した装着筒１６を口頸部５外周上部に嵌合させており、装着筒１６の内周より突設した係合突起を口頸部外周の係止突起に乗り越え係合させて抜け出しの防止を図っている。また、フランジ１５内周縁より垂設したシール筒１７を口頸部５内周上部に密嵌させてこの部分での液密性を図っている。
【００２３】
栓部材３は、上記シール筒１７下面に上面を当接係止させて口頸部５内周に嵌合させた嵌合筒１１と、該嵌合筒１１の上端より上方へ立設した弯曲板状をなす複数の板バネ１０を介して延設した下端開口の中空砲弾状をなす棒状栓体９とから構成している。本実施例では上記ノズル６の内周部所定位置に一対の縦溝１２を凹設して液流路ａを形成している。
【００２４】
図７は本発明の更に他の一例を示すもので、図１の実施例に於いて、別形態の栓部材３を設けた例を示す。栓部材３は、上記口頸部５内周に突周設した係止突条１４下面に上面を当接係止させて口頸部５内周に嵌合させた嵌合筒１１と、該嵌合筒１１の上端より内方へ弯曲上昇した後上方へ延びる周方向複数の板バネ１０を介して延設するとともに、下端開口の中空砲弾形状をなす棒状栓体９とで構成している。また、本実施例に於いて液流路ａは、棒状栓体９外周部に突設した縦突条１３により、上記外周部と上記内周部との間に形成された隙間として構成している。
【００２５】
図１０乃至図１２は本発明に使用される栓部材３の他の例を示すもので、図１０に示したものは、嵌合筒１１の上端より上方に延びた後傾斜上昇し再び上方に延びる一枚の屈折板状の板バネ１０を立設しその先端に上記棒状栓体９を延設した例を示す。また、図１１に示すものは、嵌合筒１１の上端より蛇行状に延びた一枚の屈折板状の板バネ１０を立設しその先端に上記棒状栓体９を延設した例を示す。図１２に示すものは、容器体口頸部５内周に周縁部を嵌着させるとともに、周縁部に通液用の複数の窓孔１８を穿設した嵌合板１９の上面より中間部に弾性リング部２０を設けた板バネ１０を立設し、その先端に中実の棒状栓体９を延設した例を示す。これらは例えば図１の実施例の栓部材に代えて採用することができる。
【００２６】
【発明の効果】
以上説明した如く本発明の注出栓付き容器は、既述構成としたことにより、ノズル内径と比較して極めて小さい液流路を介しての単位時間当たり少量の液の注出が可能であり、液の暴出の虞がない。また、胴部の圧搾を解除するとその弾性復元力により容器体内が負圧化し、棒状栓体が板バネの弾発力に抗して容器体内方へ引き込まれ、その外周に形成された隙間より円滑に置換空気が導入される。更に、容器を誤って倒したり或いは寝かせて保管する際に液が注出口部分に移行する虞がなく、上記状態からキャップを外した際に液がたれ落ちる等の不都合を生じる虞のないものである。また、液流路は常時一定の開口面積を保っているため、常時安定して少量の液の注出を行えるものである。
【００２７】
また、請求項２発明の容器では、上記効果に加え、全体の組み付け操作が容易であり、また、金属玉弁等を使用しないため収納液への制限（例えば、金属との接触に不都合な液の収納が不可等）が少ない等の効果を併せて発揮するものである。
【００２８】
また、請求項３発明及び請求項４発明の容器では、上記効果に加え、より確実に液流路を確保でき、単位時間当たり極めて少量の液の注出に好適である。
【図面の簡単な説明】
【図１】本発明の一実施例を示す一部切欠要部側面図である。
【図２】同実施例の栓部材を示す拡大斜視図である。
【図３】同実施例の要部拡大断面図である。
【図４】本発明の他の実施例を示す一部切欠要部側面図である。
【図５】同実施例の栓部材を示す拡大斜視図である。
【図６】同実施例の要部拡大断面図である。
【図７】本発明の更に他の実施例を示す一部切欠要部側面図である。
【図８】同実施例の栓部材を示す拡大斜視図である。
【図９】同実施例の要部拡大断面図である。
【図１０】本発明に於ける栓部材の他の例を示す拡大斜視図である。
【図１１】本発明に於ける栓部材の更に他の例を示す拡大斜視図である。
【図１２】本発明に於ける栓部材の更に他の例を示す拡大斜視図である。
【符号の説明】
２…容器体，３…栓部材，４…胴部、５…口頸部，６…筒状ノズル，
８…注出口，９…棒状栓体，１０…板バネ，１１…嵌合筒，１２…縦溝，
１３…縦突条，ａ…液流路
【図１】
2004331103.tif 000003
【図２】
2004331103.tif 000004
【図３】
2004331103.tif 000005
【図４】
2004331103.tif 000006
【図５】
2004331103.tif 000007
【図６】
2004331103.tif 000008
【図７】
2004331103.tif 000009
【図８】
2004331103.tif 000010
【図９】
2004331103.tif 000011
【図１０】
2004331103.tif 000012
【図１１】
2004331103.tif 000013
【図１２】
2004331103.tif 000014